(57)【要約】      （修正有）【課題】アーム部材の二股部分の位置ずれを抑制し、アーム部材に対する垂直フィンの位置ずれを抑制できるレジスタを提供すること。【解決手段】操作部材の一対の脚部９３は、第二連結部９１から後方に向かって延設され、中央垂直フィン４１Ａ（一の垂直フィン）の両面を挟んで配置される。また、一対の脚部９３は、その少なくとも一部において中央垂直フィン４１Ａの平面と対向する位置に配置される。切り欠き部６５は、前方側の凹部６１（側縁部）に開口部６３を有し、開口部６３から後方に向かって切り欠かれている。そして、連結棒９４は、切り欠き部６５に挿入され、この切り欠き部６５内をスライド可能に設けられ、一対の脚部９３を互いに連結する。【選択図】図７
2018154318.tif 000002
【特許請求の範囲】
【請求項１】
筒状をなし通風路を有するリテーナと、
前記通風路において水平方向に延びるとともに、垂直方向に回動可能に前記リテーナに支持される複数の水平フィンと、
前記複数の水平フィンの後方に配置され、前記垂直方向に延びるとともに、前記水平方向に回動可能に前記リテーナに支持される複数の垂直フィンと、
前記複数の水平フィン及び前記複数の垂直フィンを回動させる操作部材と、を備え、
前記操作部材は、
前記複数の水平フィンのうち、一の水平フィンに対してスライド可能に取り付けられる操作ノブと、
前記操作ノブの後部に形成された第一連結部に対して取り付けられ、前記複数の垂直フィンのうち、一の垂直フィンと連結されるアーム部材と、を有し、
前記一の垂直フィンは、
板状をなし、当該一の垂直フィンの前方側の側縁部に開口部を有し、前記開口部から後方に向かって切り欠かれる切り欠き部を有し、
前記アーム部材は、
前記第一連結部に対して回動可能に取り付けられる第二連結部と、
前記第二連結部から後方に向かって延設され、前記一の垂直フィンの両面を挟んで配置され、その少なくとも一部において前記一の垂直フィンの平面と対向する位置に配置される一対の脚部と、
前記一の垂直フィンの前記切り欠き部に挿入され前記切り欠き部内をスライド可能に設けられ、前記一対の脚部を互いに連結する連結棒と、を有する、レジスタ。
【請求項２】
前記切り欠き部は、前記連結棒の太さに合わせた幅で、前記開口部から後方に向かって前後方向に切り欠かれたスリットである、請求項１に記載のレジスタ。
【請求項３】
前記開口部は、前記切り欠き部の他の部分に比べて切り欠きの幅を広く形成される、請求項１又は２に記載のレジスタ。
【請求項４】
前記一対の脚部の少なくとも一方は、前記垂直方向の幅を前記切り欠き部に比べて大きく形成される拡張部を有する、請求項１乃至３の何れかに記載のレジスタ。
【請求項５】
筒状をなし通風路を有するリテーナと、
前記通風路において水平方向に延びるとともに、垂直方向に回動可能に前記リテーナに支持される複数の水平フィンと、
前記複数の水平フィンの後方に配置され、前記垂直方向に延びるとともに、前記水平方向に回動可能に前記リテーナに支持される複数の垂直フィンと、
前記複数の水平フィン及び前記複数の垂直フィンを回動させる操作部材と、を備え、
前記操作部材は、
前記複数の水平フィンのうち、一の水平フィンに対してスライド可能に取り付けられる操作ノブと、
前記操作ノブの後部に形成された第一連結部に対して取り付けられ、前記複数の垂直フィンのうち、一の垂直フィンと連結されるアーム部材と、を有し、
前記一の垂直フィンは、
板状をなし、当該一の垂直フィンの前方側の側縁部から後方に向かって形成される一対の溝部を有し、
前記一対の溝部の各々は、
前記一の垂直フィンの前記水平方向において互いに対向する両面のそれぞれに形成され、前記両面のそれぞれを凹設して形成され、
前記アーム部材は、
前記第一連結部に対して回動可能に取り付けられる第二連結部と、
前記第二連結部から後方に向かって延設され、前記一の垂直フィンの前記両面を挟んで配置される一対の脚部と、を有し、
前記一対の脚部の各々は、
突起部をそれぞれ有し、
一対の前記突起部の各々は、
前記一対の脚部の各々から突出し、前記水平方向において互いに近接する方向に向かって突出し、前記一対の溝部の各々に挿入され、前記溝部内をスライド可能に設けられる、レジスタ。
【請求項６】
前記一対の溝部の各々は、前記突起部の太さに合わせた幅で、前記一の垂直フィンの前方側の前記側縁部から後方に向かって形成される、請求項５に記載のレジスタ。
【請求項７】
前記一の垂直フィンは、
前記一対の溝部の各々における外周に沿って形成されたフランジ部を有し、
一対の前記フランジ部の各々は、
前記一の垂直フィンの前記両面からそれぞれ突出して形成される、請求項５又は６に記載のレジスタ。
【請求項８】
一対の前記突起部の各々は、
前記水平方向において互いに近接する方向に向かって突出した先端面を球面で形成される、請求項５乃至７の何れかに記載のレジスタ。
【請求項９】
前記第一連結部及び前記第二連結部のうち一方は、
球状をなすボール部を有し、
前記第一連結部及び前記第二連結部のうち他方は、
前記ボール部の径方向で互いに対向して配置され、且つ径方向の両側から前記ボール部を支持する一対のボール支持部を有し、
前記一対のボール支持部の各々は、
前記ボール部の径方向に貫通し前記ボール部の一部を嵌め込まれるボール穴を形成される、請求項１乃至８の何れかに記載のレジスタ。
【請求項１０】
前記一対の脚部の各々は、
前記第二連結部との接続部分に湾曲部を有し、
一対の前記湾曲部の各々は、
前記一対の脚部の延設される方向に対して所定の角度をもって湾曲し、前記一対の脚部の先端部と前記第二連結部とを接続する、請求項９に記載のレジスタ。
【請求項１１】
前記一対のボール支持部の各々に形成された前記ボール穴は、
前記一対のボール支持部を貫通する貫通方向における厚みを、前記一対のボール支持部における他の部分に比べて厚くした肉厚部を有する、請求項９又は１０に記載のレジスタ。
【請求項１２】
前記第二連結部は、
前記一対の脚部の各々における前方側の端部に支持される球状のボール部を有し、
前記操作ノブは、
第一分割部と、前記第一分割部と前記垂直方向で対向し前記第一分割部に対して組み付けられる第二分割部とを有し、
前記第一連結部は、
前記第一分割部に設けられた第一ボール支持部と、前記第二分割部に設けられた第二ボール支持部と、を有し、
前記第一ボール支持部及び前記第二ボール支持部は、
前記ボール部の径方向で対向して配置され、径方向の両側から前記ボール部を支持する、請求項１乃至８の何れかに記載のレジスタ。
【請求項１３】
前記一対の脚部は、前記一の垂直フィンの前記両面を挟んで対向する距離を、前方から後方に向かうに従って徐々に広げて形成される、請求項１乃至１２の何れかに記載のレジスタ。
【請求項１４】
前記一対の脚部の各々は、
前記垂直方向における外周面に、円形又は半円形の平面が形成される、請求項１乃至１３の何れかに記載のレジスタ。
【請求項１５】
前記一対の脚部の各々は、
前記水平方向における外周面に、矩形の平面が形成される、請求項１乃至１４の何れかに記載のレジスタ。
【発明の詳細な説明】
【技術分野】
【０００１】
本発明は、自動車の車室内の換気や空調の空気吹出部に使用されるレジスタに関するものである。
【背景技術】
【０００２】
従来、レジスタは、例えば、自動車のインストルメントパネル等に配設され、空調装置で調節された調和空気を車内に吹き出す空気吹出部に使用されている。この種のレジスタは、例えば、複数の水平フィンと、複数の垂直フィンと、操作ノブとを備えている。複数の水平フィンは、筒状のリテーナ内部において左右方向へ延び、上下方向へ回動可能に配設されている。複数の垂直フィンは、レジスタを正面から見た場合に、水平フィンの後方に配置され、上下方向へ延び、左右方向へ回動可能に配設されている。操作ノブは、複数の水平フィンの１つに装着され、この水平フィンに対し左右方向にスライド移動可能に装着される。
【０００３】
そして、レジスタは、使用者によって操作ノブを操作され、一の水平フィンを上下方向に回動させられると、複数の水平フィンを連動して回動させ、複数の水平フィンの上下方向の回動量を調整可能に構成されている。また、レジスタは、使用者によって一の水平フィンに沿って左右方向に操作ノブをスライド移動させられると、複数の垂直フィンの左右方向の回動量を調整可能に構成されている。従って、使用者は、操作ノブを操作することで、複数の水平フィン及び複数の垂直フィンの回動量を調整し、調和空気の吹出方向を上下方向及び左右方向に調整できる。
【０００４】
この種のレジスタとしては、例えば、特許文献１に示されるものがある。この特許文献１に示される操作ノブは、二股に分岐したアーム部材を操作ノブの後方に配置し、アーム部材を介して垂直フィンと連結されている。操作ノブ（文献では作動要素）は、カルダンクロス（自在継手）を介してアーム部材（文献ではフォーク部）と接続されている。垂直フィン（文献では第二のベーン）は、板状をなし、アーム部材の二股に分岐した部分に挿入されている。アーム部材の二股部分の隙間は、垂直フィンの厚さよりも僅かに広くなっている。アーム部材には、二股部分の内側に突起が形成されている。この突起は、垂直フィンと接触してアーム部材のストッパとして機能する。
【先行技術文献】
【特許文献】
【０００５】
【特許文献１】特開２００４−２０３３８２号公報（図２）
【発明の概要】
【発明が解決しようとする課題】
【０００６】
上記したレジスタでは、アーム部材は、突起部の先端を垂直フィンの平面に接触させており、突起部によって垂直フィンを挟んでいる。アーム部材は、水平フィンを上下方向に回動させるのに応じて突起部を水平フィンに接触させたまま向きを変更される。この構成では、アーム部材の剛性が低くなり垂直フィンを挟持する挟持力を十分に確保できなくなると、アーム部材の二股部分の相対的な位置は、アーム部材の回動にともなってずれる可能性ある。その結果、アーム部材によって垂直フィンを保持する保持力を確保できず、アーム部材と垂直フィンとの位置ずれが起こる可能性がある。
【０００７】
本発明は、上述した問題点を解決するためになされたものであり、アーム部材の二股部分の位置ずれを抑制し、アーム部材に対する垂直フィンの位置ずれを抑制できるレジスタを提供する。
【課題を解決するための手段】
【０００８】
本願は、筒状をなし通風路を有するリテーナと、前記通風路において水平方向に延びるとともに、垂直方向に回動可能に前記リテーナに支持される複数の水平フィンと、前記複数の水平フィンの後方に配置され、前記垂直方向に延びるとともに、前記水平方向に回動可能に前記リテーナに支持される複数の垂直フィンと、前記複数の水平フィン及び前記複数の垂直フィンを回動させる操作部材と、を備え、前記操作部材は、前記複数の水平フィンのうち、一の水平フィンに対してスライド可能に取り付けられる操作ノブと、前記操作ノブの後部に形成された第一連結部に対して取り付けられ、前記複数の垂直フィンのうち、一の垂直フィンと連結されるアーム部材と、を有し、前記一の垂直フィンは、板状をなし、当該一の垂直フィンの前方側の側縁部に開口部を有し、前記開口部から後方に向かって切り欠かれる切り欠き部を有し、前記アーム部材は、前記第一連結部に対して回動可能に取り付けられる第二連結部と、前記第二連結部から後方に向かって延設され、前記一の垂直フィンの両面を挟んで配置され、その少なくとも一部において前記一の垂直フィンの平面と対向する位置に配置される一対の脚部と、前記一の垂直フィンの前記切り欠き部に挿入され前記切り欠き部内をスライド可能に設けられ、前記一対の脚部を互いに連結する連結棒と、を有する、レジスタを開示する。
【０００９】
また、本願は、筒状をなし通風路を有するリテーナと、前記通風路において水平方向に延びるとともに、垂直方向に回動可能に前記リテーナに支持される複数の水平フィンと、前記複数の水平フィンの後方に配置され、前記垂直方向に延びるとともに、前記水平方向に回動可能に前記リテーナに支持される複数の垂直フィンと、前記複数の水平フィン及び前記複数の垂直フィンを回動させる操作部材と、を備え、前記操作部材は、前記複数の水平フィンのうち、一の水平フィンに対してスライド可能に取り付けられる操作ノブと、前記操作ノブの後部に形成された第一連結部に対して取り付けられ、前記複数の垂直フィンのうち、一の垂直フィンと連結されるアーム部材と、を有し、前記一の垂直フィンは、板状をなし、当該一の垂直フィンの前方側の側縁部から後方に向かって形成される一対の溝部を有し、前記一対の溝部の各々は、前記一の垂直フィンの前記水平方向において互いに対向する両面のそれぞれに形成され、前記両面のそれぞれを凹設して形成され、前記アーム部材は、前記第一連結部に対して回動可能に取り付けられる第二連結部と、前記第二連結部から後方に向かって延設され、前記一の垂直フィンの前記両面を挟んで配置される一対の脚部と、を有し、前記一対の脚部の各々は、突起部を有し、一対の前記突起部の各々は、前記一対の脚部の各々から突出し、前記水平方向において互いに近接する方向に向かって突出し、前記一対の溝部の各々に挿入され、前記溝部内をスライド可能に設けられる、レジスタを開示する。
【発明の効果】
【００１０】
本願のレジスタによれば、アーム部材の二股部分の位置ずれを抑制し、アーム部材に対する垂直フィンの位置ずれを抑制できる。
【図面の簡単な説明】
【００１１】
【図１】第一実施形態に係るレジスタの正面図である。
【図２】レジスタの外観斜視図である。
【図３】図１に示すＡ−Ａ線で切断した断面を示す断面図である。
【図４】図１に示すＢ−Ｂ線で切断した断面を示す断面図である。
【図５】中央水平フィン、中央垂直フィン及び操作部材を前方上方から見た斜視図である。
【図６】中央水平フィン、中央垂直フィン及び操作部材を上方から見た平面図である。
【図７】中央水平フィン、中央垂直フィン及び操作部材の分解斜視図である。
【図８】中央垂直フィンの側面図である。
【図９】アーム部材の上面図である。
【図１０】アーム部材の側面図である。
【図１１】操作ノブを上方に回動させ、空気の吹出方向を上方に調整した状態を示す断面図である。
【図１２】操作ノブを左方向にスライド移動させ、空気の吹出方向を左方に調整した状態を示す断面図である。
【図１３】第二実施形態の中央水平フィン、中央垂直フィン及び操作部材を上方から見た平面図である。
【図１４】第二実施形態の中央水平フィン、中央垂直フィン及び操作部材の分解斜視図である。
【図１５】第三実施形態の中央水平フィン、中央垂直フィン及び操作部材の分解斜視図である。
【図１６】第四実施形態の中央水平フィン、中央垂直フィン及び操作部材を左側から見た側面図である。
【図１７】アーム部材を左前方から見た斜視図である。
【図１８】アーム部材を上方から見た平面図である。
【図１９】第五実施形態の中央水平フィン、中央垂直フィン及び操作部材を前方上方から見た斜視図である。
【図２０】第五実施形態の中央垂直フィンの斜視図である。
【図２１】第五実施形態の中央水平フィン、中央垂直フィン及び操作部材を左側から見た側面図である。
【図２２】図２１に示すＣ−Ｃ線で切断した断面を示す断面図である。
【図２３】操作ノブの分解斜視図である。
【図２４】アーム部材の上面図である。
【図２５】アーム部材を後方の上方から見た斜視図である。
【図２６】アーム部材を左側から見た側面図である。
【図２７】図２１に示すＤ−Ｄ線で切断した断面を示す断面図である。
【図２８】図２７の一部拡大図である。
【発明を実施するための形態】
【００１２】
（第一実施形態）
以下、本願のレジスタを、自動車等の車室前方に配置されるインストルメントパネルに配設され、空調装置で調節された調和空気を車室内に吹き出すレジスタ１０に具体化した第一実施形態について、図面を参照しつつ説明する。尚、以下の説明では、図１に示すように、当該レジスタ１０における送風方向の下流側（即ち、車室側）を前方とし、送風方向の上流側（即ち、空調装置側）を後方として説明する。また、以下の説明では、当該レジスタ１０の前方においてレジスタ１０と正対した使用者の視点を用いて、上下方向及び左右方向を定義し説明する。
【００１３】
（レジスタの構成）
図１は、第一実施形態のレジスタ１０の正面図である。図２は、レジスタ１０の外観斜視図である。図３は、図１に示すＡ−Ａ線で切断した断面を示す断面図である。図４は、図１に示すＢ−Ｂ線で切断した断面を示す断面図である。図１〜図４に示すように、レジスタ１０は、リテーナ１１と、ベゼル１３とを有しており、空調装置で調節された調和空気を車室内に吹き出すように構成されている。リテーナ１１は、略矩形筒状に形成されており、その内部が通風路１５を構成している。リテーナ１１の後端部は、通風路１５を介して空調装置（図示省略）に接続されている。
【００１４】
ベゼル１３は、リテーナ１１の前面に配設される略矩形枠状の部材であり、空気吹出口１７を有している。空気吹出口１７は、空調装置で調節され通風路１５を流れる空気を、レジスタ１０の外部（乗員などの使用者側）に向けて吹き出す。
【００１５】
リテーナ１１の前側の開口部分には、複数の水平フィン２１が、左右両側の側壁に対して回動可能に支持されている。複数（本実施形態においては、２本）の水平フィン２１は、それぞれ左右方向に延びるように形成された板状の水平フィン本体２３（図４参照）を有している。上下方向に配設された２つの水平フィン２１の水平フィン本体２３は、互いに平行をなす状態で配設されている。
【００１６】
各水平フィン２１の左右両端部であって前方側の端部には、回動支持軸２５が形成されている。（図４参照）。回動支持軸２５は、水平フィン２１の平面と平行に、水平フィン２１の左右両端部から外側方向に突出している。回動支持軸２５は、リテーナ１１の左右両側の側壁１１Ａに設けられた挿入孔１１Ｂに挿入され、側壁１１Ａに対して回動可能に取り付けられている。このため、各水平フィン２１は、回動支持軸２５の軸心周りに回動可能、即ち、上下方向に回動可能となっている。因みに、２つの水平フィン２１のうち、上方側の水平フィン２１には、補助支持軸２６が設けられている。補助支持軸２６は、水平フィン２１の左右両端部であって前後方向の中央部に設けられている。補助支持軸２６は、回動支持軸２５を挿入する挿入孔１１Ｂよりも大きい（例えば、上下方向に拡張された）挿入孔１１Ｇ（図２参照）に挿入されている。
【００１７】
各水平フィン２１の左側端部であって後方側の部分には、リンク支持軸２７が形成されている。リンク支持軸２７は、水平フィン２１の平面と平行に、水平フィン２１の左側の端部から外側方向に突出している。本実施形態の２本の水平フィン２１は、リンク支持軸２７をリンク部材２９（図２参照）によって互いに連結されており、連動して上下方向に回動する。なお、リンク支持軸２７及びリンク部材２９を、水平フィン２１の左右両側に設けてもよい。
【００１８】
以下の説明では、２つの水平フィン２１のうち、中央に配置された（上方側の）水平フィン２１を、下側の水平フィン２１と区別するため、中央水平フィン２１Ａと称する場合がある。この中央水平フィン２１Ａには、操作部材３０が取り付けられている。操作部材３０は、操作ノブ３１と、アーム部材３３とを有する。操作ノブ３１は、中央水平フィン２１Ａの水平フィン本体２３を挿通され、中央水平フィン２１Ａに対してスライド可能に取り付けられている。操作ノブ３１は、中央水平フィン２１Ａ上を左右方向に沿ってスライド移動する。
【００１９】
本実施形態のレジスタ１０では、操作部材３０の操作ノブ３１を上下方向に操作することにより、中央水平フィン２１Ａを上下方向に回動する。そして、中央水平フィン２１Ａの回動は、リンク支持軸２７及びリンク部材２９を介して下側の水平フィン２１に伝達される。これにより、２つの水平フィン２１は、互いに連動して上下方向に回動する。その結果、空気吹出口１７から吹出される空気の吹出方向は上下方向に調整される。なお、操作部材３０の詳細な構成については後述する。
【００２０】
リテーナ１１の内部には、複数（本実施形態では、５本）の垂直フィン４１が配置されている。複数の垂直フィン４１は、複数の水平フィン２１よりも後側に配設されている。各垂直フィン４１は、上下方向に延びる板状をなし、互いに平行となるように配設されている。図３に示すように、各垂直フィン４１の上側端部であって前方側の部分には、上側回動支持軸４３が設けられている。上側回動支持軸４３は、垂直フィン４１の平面と平行に、垂直フィン４１の上端部から上方に突出している。同様に各垂直フィン４１の下側端部であって前方側の部分には、下側回動支持軸４５が設けられている。下側回動支持軸４５は、垂直フィン４１の平面と平行に、垂直フィン４１の下端部から下方に突出している。上側回動支持軸４３は、リテーナ１１の上側の側壁１１Ｃに設けられた挿入孔１１Ｄに挿入され、側壁１１Ｃに対して回動可能に取り付けられている。また、下側回動支持軸４５は、リテーナ１１の下側の側壁１１Ｅに設けられた挿入孔１１Ｆに挿入され、側壁１１Ｅに対して回動可能に取り付けられている。これにより、各垂直フィン４１は、上側回動支持軸４３及び下側回動支持軸４５を結ぶ回転軸周りに、左右方向へ回動可能となっている。
【００２１】
図１に示すように、各垂直フィン４１の上端部であって後方側の部分には、突出部４９が形成されている。突出部４９は、垂直フィン４１の上端部から左方向へ突出している。この突出部４９の先端には、リンク支持軸４７が設けられている。このため、リンク支持軸４７の回転軸は、垂直フィン４１の平面や上側回動支持軸４３の回転軸等に対して左側にずれた位置となっている。なお、リンク支持軸４７を、垂直フィン４１に沿った位置に配置してもよい。各垂直フィン４１のリンク支持軸４７は、リンク部材５１によって互いに連結されている。このため、一の垂直フィン４１が左右方向に回動すると、他の全ての垂直フィン４１は、連動して左右方向に回動する。
【００２２】
以下の説明では、５つの垂直フィン４１のうち、左右方向の中央に配置された垂直フィン４１を、他の垂直フィン４１と区別するため、中央垂直フィン４１Ａと称する場合がある。中央垂直フィン４１Ａは、中央水平フィン２１Ａにスライド移動可能に取り付けられた操作部材３０の背面側に位置している。中央垂直フィン４１Ａは、操作部材３０と連結されており、操作部材３０のスライド移動に伴って左右方向に回動する。
【００２３】
そして、上記したように、複数の垂直フィン４１は、リンク支持軸４７及びリンク部材５１を介して互いに連結されている。このため、全ての垂直フィン４１は、中央垂直フィン４１Ａの左右方向への回動に連動して左右方向へ回動する。従って、本実施形態のレジスタ１０では、操作部材３０をスライド移動させて、全ての垂直フィン４１を左右方向へ回動させることによって、空気吹出口１７から吹出される空気の吹出方向を、左右方向に調整することができる。
【００２４】
次に、中央垂直フィン４１Ａ及び操作部材３０の構成について、図面を参照しつつ説明する。図５は、中央水平フィン２１Ａ、中央垂直フィン４１Ａ及び操作部材３０を前方上方から見た斜視図である。図６は、中央水平フィン２１Ａ、中央垂直フィン４１Ａ及び操作部材３０を上方から見た平面図である。図７は、中央水平フィン２１Ａ、中央垂直フィン４１Ａ及び操作部材３０の分解斜視図である。図８は、中央垂直フィン４１Ａの側面図である。
【００２５】
（中央垂直フィン４１Ａについて）
図５〜図８に示すように、中央垂直フィン４１Ａ（一の垂直フィンの一例）は、略板状をなしている。中央垂直フィン４１Ａの前方側の側縁部には、後方側に向かって凹設された凹部６１が形成されている。図８に示すように、凹部６１は、上下の両端部から後方側に向かって突出した略円弧状をなしている。従って、凹部６１は、上下方向の中央部を最も後方側に凹設されている。この凹部６１の上下方向の中央部には、開口部６３が形成されている。従って、中央垂直フィン４１Ａには、前方側の凹部６１（側縁部）に開口部６３を形成されている。また、中央垂直フィン４１Ａには、開口部６３から後方に向かって切り欠かれる切り欠き部６５を形成されている。なお、中央垂直フィン４１Ａ以外の垂直フィン４１は、凹部６１、開口部６３、及び切り欠き部６５を形成されていない点を除き、中央垂直フィン４１Ａと同様の構成となっている。
【００２６】
切り欠き部６５は、上下方向の幅Ｗを略同一とし、前後方向に形成されている。切り欠き部６５は、例えば、中央垂直フィン４１Ａの後方側の側縁部６７を上下方向に沿わせた場合、前後方向に沿って形成されている（図８参照）。切り欠き部６５は、中央垂直フィン４１Ａの上下方向における略中央部に形成されている。本実施形態の切り欠き部６５は、後述する連結棒９４の太さに合わせた幅Ｗで、開口部６３から後方に向かって前後方向に切り欠かれたスリットである。切り欠き部６５の上下方向の幅Ｗは、例えば、３ｍｍである。切り欠き部６５の前方側の側縁部（凹部６１の開口部６３を形成した部分）から中央垂直フィン４１Ａの後側の側縁部６７までの距離、即ち、上下方向における中央垂直フィン４１Ａの中央部分における前後方向に沿った距離は、例えば、２ｃｍである。切り欠き部６５の前後方向の長さは、例えば、１．５ｃｍである。また、切り欠き部６５の底部６５Ａと中央垂直フィン４１Ａの後側の側縁部６７との距離は、例えば、５ｍｍである。この底部６５Ａと側縁部６７との間は、後述するアーム部材３３の脚部９３と、左右方向において対向する部分である。従って、図３に示すように、操作ノブ３１を水平にした状態では、本実施形態の中央垂直フィン４１Ａは、前後方向の距離（２ｃｍ）の約１／４（５ｍｍ）を脚部９３と対向させた状態となっている。なお、上記した切り欠き部６５の形状や大きさは一例であり適宜変更可能である。例えば、切り欠き部６５の上下方向の幅Ｗを連結棒９４の太さの倍以上にしてもよい。
【００２７】
また、開口部６３は、後方から前方に向かうに従って、上下方向の幅を広くするテーパ部６３Ａを有する。従って、本実施形態の開口部６３は、切り欠き部６５の他の部分（幅Ｗの部分）に比べて切り欠きの幅を広く形成されている。なお、開口部６３を、切り欠き部６５と略同一の幅で形成してもよい。
【００２８】
（操作部材３０、操作ノブ３１について）
図５〜図７に示すように、操作部材３０は、操作ノブ３１と、アーム部材３３とを有する。操作ノブ３１は、レジスタ１０の使用者によって空気の吹出方向を調節する際の操作に用いられる。図７に示すように、操作ノブ３１は、第一分割部７１と、第二分割部７３と、枠部７５と、サポート部材７７と、を有している。第一分割部７１は、上方から見た場合に、略正方形状をなしている。第二分割部７３は、下方から見た場合に、第一分割部７１と略同一の大きさの略正方形状をなしている。第二分割部７３は、第一分割部７１と上下方向（垂直方向）において対向し、第一分割部７１に対して組み付けられる。
【００２９】
第一分割部７１及び第二分割部７３は、互いに組み付けられることで、中空の略箱形をなしている。第一分割部７１の後端面７１Ａには、左右方向の両側に一対の係合部７１Ｂが設けられている。また、第二分割部７３の後端面７３Ａには、左右方向の両側に一対の被係合部７３Ｂが設けられている。第一分割部７１の一対の係合部７１Ｂは、第二分割部７３の一対の被係合部７３Ｂの各々に係合される。
【００３０】
枠部７５は、左右方向に延設され、左右方向に延設された先端部の各々を後方に湾曲させた形状をなしている。枠部７５は、組み付けられた第一及び第二分割部７１，７３の前面に嵌め込まれ、第一及び第二分割部７１，７３によって挟持され固定される。
【００３１】
サポート部材７７は、上下方向に略一定の幅を有し、左右方向に延びる略棒状の部材である。サポート部材７７は、組み付けられた第一及び第二分割部７１，７３の前方側に内蔵されている。サポート部材７７は、上下方向における第一及び第二分割部７１，７３の間に挟まれ、第一及び第二分割部７１，７３の上下方向の距離を一定に保持する。
【００３２】
第一及び第二分割部７１，７３は、互いに組み付けられた状態において、左右方向に貫通した挿通孔３１Ａを形成する。挿通孔３１Ａは、上下方向に狭く、前後方向に長い形状をなしており、中央水平フィン２１Ａを挿入される。操作ノブ３１は、中央水平フィン２１Ａを挿通孔３１Ａに挿入した状態で、中央水平フィン２１Ａに対してスライド可能に取り付けられる。
【００３３】
挿通孔３１Ａの上下方向の幅は、サポート部材７７によって、当該サポート部材７７の上下方向の幅以上に保持される。また、中央水平フィン２１Ａは、操作ノブ３１の位置に合わせて複数（本実施形態では４つ）の突起部２１Ｃが形成されている。突起部２１Ｃは、中央水平フィン２１Ａの上面に２つ、下面に２つそれぞれ設けられている（図３参照）。操作ノブ３１と、操作ノブ３１に挿入される中央水平フィン２１Ａとは、これらのサポート部材７７及び突起部２１Ｃによって、互いの間に所定の隙間を形成して対向している。これにより、操作ノブ３１と中央水平フィン２１Ａとの接触面積を減らし摩擦抵抗を低減し、操作ノブ３１を中央水平フィン２１Ａに対して円滑にスライドさせることができる。
【００３４】
また、中央水平フィン２１Ａには、操作ノブ３１のスライド位置を位置決めするストッパ２１Ｅが設けられている。図４に示すように、中央水平フィン２１Ａは、後方の側縁部に前方側へ凹設したストッパ２１Ｅを２つ形成されている。２つのストッパ２１Ｅは、中央水平フィン２１Ａの中央を間に挟んで左右方向で対称な位置に設けられている。操作ノブ３１の左右両側のそれぞれに形成された挿通孔３１Ａの開口は、内壁の一部をストッパ２１Ｅに嵌め込んで当接させた状態となっている。操作ノブ３１は、挿通孔３１Ａをストッパ２１Ｅに当接させ前方への移動を規制される。また、操作ノブ３１は、中央水平フィン２１Ａの前方側の側縁部をサポート部材７７に当接させ後方への移動を規制される。こにより、操作ノブ３１と中央水平フィン２１Ａは、前後方向における相対的な位置を位置決めされる。
【００３５】
また、例えば、中央水平フィン２１Ａに対して操作ノブ３１を左方向にスライド移動させると、挿通孔３１Ａの右側の開口部分は、右側のストッパ２１Ｅと係合する（図１２参照）。これにより、操作ノブ３１は、左方向への移動を規制される。同様に、中央水平フィン２１Ａに対して操作ノブ３１を右方向にスライド移動させると、挿通孔３１Ａの左側の開口部分は、左側のストッパ２１Ｅと係合する。これにより、操作ノブ３１は、右方向への移動を規制される。従って、操作ノブ３１は、２つのストッパ２１Ｅによって規定された一定の範囲内で左右方向へスライド移動可能となっている。
【００３６】
また、第二分割部７３の後端面７３Ａには、第一連結部７９が設けられている。第一連結部７９は、ボール部８１と、一対のボール固定部８３とを有する。ボール部８１は、球状をなしている。一対のボール固定部８３の各々は、湾曲した円柱形状をなしている。後端面７３Ａは、第二分割部７３の本体部分に対して略垂直をなす平面を形成している。一対のボール固定部８３の各々は、この後端面７３Ａの平面から後方に向かって延設され、その延設された先端部の各々を互いに近接させる方向、即ち、左右方向における内側方向に湾曲させボール部８１に接続されている。一対のボール固定部８３は、上方から見た場合に、後方側へ突出した略Ｕ字状をなし、そのＵ字状の底部にボール部８１を固定している。ボール部８１は、一対のボール固定部８３の各々を左右方向の両側に接続されることで、操作ノブ３１の後方において、左右方向の中央部に固定されている。
【００３７】
（アーム部材３３について）
アーム部材３３は、中央垂直フィン４１Ａと連結されており、操作ノブ３１のスライド移動に伴う力を中央垂直フィン４１Ａに伝達する。アーム部材３３は、第二連結部９１と、一対の脚部９３と、連結棒９４とを有する。第二連結部９１は、操作ノブ３１の第一連結部７９のボール部８１に対して回動可能に取り付けられる。詳述すると、図９は、アーム部材３３の上面図である。図１０は、アーム部材３３の側面図である。第二連結部９１は、第一ボール支持部９５と、第一ボール支持部９５と上下方向で対向して配置される第二ボール支持部９７とを有する。第一ボール支持部９５は、略円板状をなし、円板形状の中央部に上下方向に貫通するボール穴９９が形成されている。ボール穴９９は、上方から見た場合に、円形をなしている。また、第一ボール支持部９５には、中央部から下端部に向かうに従って徐々に縮径した縮径部１０１が形成されている。縮径部１０１は、円錐台形状をなしている。
【００３８】
第二ボール支持部９７は、第一ボール支持部９５と同一形状をなし、上下方向で反転した構造をなしている。図３に示すように、操作ノブ３１とアーム部材３３とを組み付けた状態では、操作ノブ３１のボール部８１は、第一ボール支持部９５の縮径部１０１と第二ボール支持部９７の縮径部１０１との上下方向の間に嵌め込まれる。ボール部８１の一部は、上下方向で対向するボール穴９９のそれぞれに嵌め込まれている。換言すれば、本実施形態の第一及び第二ボール支持部９５，９７は、ボール部８１の径方向で互いに対向して配置され、且つ径方向の両側からボール部８１を支持する。ボール穴９９は、第一及び第二ボール支持部９５，９７をボール部８１の径方向に沿って貫通し、ボール部８１の一部を嵌め込まれる。アーム部材３３は、ボール部８１を中心として回動自在に操作ノブ３１に取り付けられる。
【００３９】
また、一対の脚部９３は、第二連結部９１（第一及び第二ボール支持部９５，９７の後部）から後方に向かって延設され、中央垂直フィン４１Ａ（一の垂直フィンの一例）の両面を左右方向の両側から挟んで配置される。一対の脚部９３は、左右方向において対象な構成をなしている。脚部９３の各々は、第二連結部９１との接続部分に一対の湾曲部９３Ａを形成されている。湾曲部９３Ａは、図９及び図１０に示すように、一の脚部９３の先端部から上方及び下方のそれぞれに二股に分かれて形成され、分岐したその先端を第一ボール支持部９５及び第二ボール支持部９７のそれぞれに接続されている。湾曲部９３Ａは、脚部９３の延設される方向に対して所定の角度をもって湾曲し、脚部９３の先端部と第一連結部７９（第一及び第二ボール支持部９５，９７）とを接続している。図３に示すように、湾曲部９３Ａは、ボール部８１の後方側からボール部８１を挟むように上方及び下方に分岐している。
【００４０】
また、脚部９３は、湾曲部９３Ａから後方側の部分において、上下方向の幅を略一定とし、左右方向に薄い略板状をなし、後方へと一方向に延設されている。脚部９３の上下方向の幅は、中央垂直フィン４１Ａの切り欠き部６５の幅Ｗ（図８参照）に比べて大きい。また、脚部９３の前後方向の長さは、切り欠き部６５の前後方向の長さ（溝に沿った長さ）に比べて長くなっている。従って、図３に示すように、操作ノブ３１を水平に配置し、脚部９３を切り欠き部６５に沿うように配置した状態では、脚部９３は、切り欠き部６５の上側、切り欠き部６５の下側、切り欠き部６５の後側のそれぞれにおいて、中央垂直フィン４１Ａと重なった状態となっている。脚部９３の先端は、中央垂直フィン４１Ａの側縁部６７から後方に突出している。即ち、本実施形態の脚部９３は、その少なくとも一部において中央垂直フィン４１Ａの平面と対向する位置に配置される。このため、脚部９３は、切り欠き部６５を抜けて中央垂直フィン４１Ａから脱落するのを抑制される。
【００４１】
また、図９に示すように、一対の脚部９３は、左右方向における距離Ｗ２、換言すれば、中央垂直フィン４１Ａの両面を挟んで対向する距離を、前方から後方に向かうに従って徐々に広げて形成されている。連結棒９４は、一対の脚部９３における左右方向で対向する内壁に形成され、一対の脚部９３を互いに連結する。連結棒９４は、例えば、円柱形状をなし、軸方向の両端部を一対の脚部９３の内壁にそれぞれ接続されている。なお、連結棒９４は、断面円形の柱状に限らず、断面楕円形の柱状でもよい。
【００４２】
図３に示すように、連結棒９４は、中央垂直フィン４１Ａの切り欠き部６５に挿入され、切り欠き部６５内をスライド可能に設けられる。上記したように、切り欠き部６５の幅Ｗは、連結棒９４の太さに合わせた大きさであり、例えば、連結棒９４に比べて若干大きくなっている。このため、連結棒９４は、切り欠き部６５内において上下方向の移動を規制され前後方向にスライド可能となっている。図９に示すように、連結棒９４は、前後方向における脚部９３の中央よりも後方側に配置されている。そして、図３に示す操作ノブ３１を水平に配置し、脚部９３を切り欠き部６５に沿うように配置した状態では、脚部９３と切り欠き部６５の底部６５Ａとは、前後方向においてわずかな隙間（例えば、０．５ｍｍの隙間）を設けて配置される。
【００４３】
また、連結棒９４の長さは、中央垂直フィン４１Ａの厚みに比べて若干だけ長くなっている。一対の脚部９３は、前方側において内壁面を中央垂直フィン４１Ａに接触させ、後方側において中央垂直フィン４１Ａと離間している（図４参照）。従って、一対の脚部９３と、中央垂直フィン４１Ａとは、左右方向において互いに近接した位置に並設されている。
【００４４】
（上下方向への吹出方向の調整）
次に、上記した構成のレジスタ１０について、空気の吹出方向を上下左右に調整する方法について説明する。まず、空気の吹出方向を上下に調整する場合について説明する。ここで、図３及び図４に示す水平フィン２１の前端と後端とを同じ高さとし、且つ垂直フィン４１の前端と後端を左右方向において同一位置とした状態を通常状態とする。通常状態にある場合、操作ノブ３１は、中央水平フィン２１Ａと同様に、前端と後端を同じ高さにした状態となっている。
【００４５】
次に、例えば、複数の水平フィン２１を水平状態から上方に回動させ、空気の吹出方向を上向きに調整する。図１１に示すように、例えば、使用者は、操作ノブ３１を操作して中央水平フィン２１Ａを上方向に回動させ、中央水平フィン２１Ａの前端を上側に、後端を下側になるように調整する。中央水平フィン２１Ａの回動にともなって、他の（下側の）水平フィン２１は、リンク部材２９を介して駆動力を伝達される。下側の水平フィン２１は、中央水平フィン２１Ａと同様に、前端を上側に、後端を下側になるように回動する。
【００４６】
一方で、中央水平フィン２１Ａと中央垂直フィン４１Ａとを連結する操作部材３０は、操作ノブ３１（中央水平フィン２１Ａ）の回動にともなって回動する。連結棒９４は、切り欠き部６５内において上下方向の移動を規制され、前方に向かって移動する。アーム部材３３は、連結棒９４によって上下方向の移動を規制されるため、操作ノブ３１の上方への回動に対しボール部８１を基点として回動する（図１１における時計回り方向へ回動する）。即ち、アーム部材３３は、操作ノブ３１とは逆方向に回動し、前端を下側に、後端を上側になるように回動する。
【００４７】
その結果、操作部材３０は、操作ノブ３１及びアーム部材３３を含む全体として下方に向かってＶ字状に屈曲した状態となる。また、中央垂直フィン４１Ａは、連結棒９４の上下方向への移動を規制し、左右方向へ回動しない。また、中央垂直フィン４１Ａは、前方側の側縁部に凹部６１を形成されたことで、このアーム部材３３の回動に対して、脚部９３や湾曲部９３Ａと接触しない。換言すれば、アーム部材３３は、中央垂直フィン４１Ａと接触せず円滑に回動する。また、中央垂直フィン４１Ａは、アーム部材３３と接触せず、通常状態を維持する。その結果、全ての垂直フィン４１は、通常状態を維持する。このように、操作ノブ３１を上方向に回動させることで、空気の吹出方向を、所望の上方向に調整することができる。なお、操作ノブ３１を下方向に回動させた場合は、上記した上方向に回動させた場合と逆の動作となるため、その説明を省略する。
【００４８】
（左右方向への吹出方向の調整）
次に、空気の吹出方向を左右に調整する場合について説明する。例えば、使用者は、中央水平フィン２１Ａに対し操作部材３０（操作ノブ３１）を左右方向にスライド移動させる。図１２に示すように、例えば、操作ノブ３１を、中央水平フィン２１Ａのストッパ２１Ｅと係合する位置まで左方向へスライドさせる。この操作にともない、操作ノブ３１をスライドさせた力は、アーム部材３３を介して中央垂直フィン４１Ａに伝達される。
【００４９】
操作部材３０は、操作ノブ３１のスライド移動にともなって回動する。一対の脚部９３は、中央垂直フィン４１Ａを間に挟んでおり、その一部において常に中央垂直フィン４１Ａの平面と対向して配置されている。このため、脚部９３は、左右方向の移動を中央垂直フィン４１Ａによって規制される。一対の脚部９３は、操作ノブ３１のスライド移動に対しボール部８１を基点として回動する（図１２における時計回り方向へ回動する）。即ち、アーム部材３３は、操作ノブ３１のスライド移動にともなって回動し、前端を左側に、後端を右側になるように回動する。
【００５０】
操作部材３０は、操作ノブ３１及びアーム部材３３を含む全体として左方に向かって屈曲した状態となる。また、中央垂直フィン４１Ａは、一対の脚部９３とともに同方向へ回動する。中央垂直フィン４１Ａは、アーム部材３３と同様に、前端を左側に、後端を右側になるように回動する。中央垂直フィン４１Ａ以外の他の垂直フィン４１は、リンク部材５１によって、中央垂直フィン４１Ａと同様に、前端を左側に、後端を右側になるように回動する。このように、操作ノブ３１を左方向にスライド移動させることで、空気の吹出方向を、所望の左方向に調整することができる。なお、操作ノブ３１を右方向にスライド移動させた場合は、上記した左方向にスライド移動させた場合と逆の動作となるため、その説明を省略する。このように、本実施形態のレジスタ１０によれば、操作ノブ３１を上下及び左右方向に移動させることで、空気の吹出方向を、所望の方向へ調整することができる。
【００５１】
以上、上記した第一実施形態によれば、以下の効果を奏する。
（１）レジスタ１０は、筒状をなし通風路１５を有するリテーナ１１と、通風路１５において左右方向（水平方向の一例）に延びるとともに、上下方向（垂直方向の一例）に回動可能にリテーナ１１に支持される複数の水平フィン２１と、複数の水平フィン２１の後方に配置され、上下方向に延びるとともに、左右方向に回動可能にリテーナ１１に支持される複数の垂直フィン４１と、複数の水平フィン２１及び複数の垂直フィン４１を回動させる操作部材３０と、を備える。操作部材３０は、複数の水平フィン２１のうち、中央水平フィン２１Ａ（一の水平フィン）に対してスライド可能に取り付けられる操作ノブ３１と、操作ノブ３１の後部に形成された第一連結部７９に対して取り付けられ、複数の垂直フィン４１のうち、中央垂直フィン４１Ａ（一の垂直フィン）と連結されるアーム部材３３と、を有する。中央垂直フィン４１Ａは、板状をなし、当該中央垂直フィン４１Ａの前方側の凹部６１（側縁部）に開口部６３を有し、開口部６３から後方に向かって切り欠かれる切り欠き部６５を有する。アーム部材３３は、第一連結部７９に対して回動可能に取り付けられる第二連結部９１と、第二連結部９１から後方に向かって延設され、中央垂直フィン４１Ａの両面を挟んで配置され、その少なくとも一部において中央垂直フィン４１Ａの平面と対向する位置に配置される一対の脚部９３と、中央垂直フィン４１Ａの切り欠き部６５に挿入され切り欠き部６５内をスライド可能に設けられ、一対の脚部９３を互いに連結する連結棒９４と、を有する。
【００５２】
これによれば、レジスタ１０は、リテーナ１１、複数の水平フィン２１、複数の垂直フィン４１、及び操作部材３０を備える。レジスタ１０は、操作部材３０によって水平フィン２１及び垂直フィン４１を連結されている。レジスタ１０は、操作部材３０に対する操作に応じて、水平フィン２１及び垂直フィン４１を回動させ、通風路１５から吹き出される空気の流れを調整する。操作部材３０の操作ノブ３１は、中央水平フィン２１Ａ（一の水平フィン）に対してスライド可能に取り付けられる。操作部材３０のアーム部材３３は、第二連結部９１、一対の脚部９３、及び連結棒９４を有する。操作ノブ３１の後部には、第一連結部７９が形成されている。アーム部材３３の第二連結部９１は、第一連結部７９に対して回動可能に取り付けられる。一対の脚部９３は、第二連結部９１から後方に向かって延設され、中央垂直フィン４１Ａ（一の垂直フィン）の両面を挟んで配置される。また、一対の脚部９３は、その少なくとも一部において中央垂直フィン４１Ａの平面と対向する位置に配置され、中央垂直フィン４１Ａの切り欠き部６５を取って抜け出すのを抑制する。切り欠き部６５は、前方側の凹部６１（側縁部）に開口部６３を有し、開口部６３から後方に向かって切り欠かれている。そして、連結棒９４は、切り欠き部６５に挿入され、この切り欠き部６５内をスライド可能に設けられ、一対の脚部９３を互いに連結する。
【００５３】
当該レジスタ１０によれば、一対の脚部９３は、アーム部材３３を上下方向や左右方向に回動させると、切り欠き部６５内をスライド移動する連結棒９４の位置に合わせて移動や回動する。一対の脚部９３は、移動や回動する一方で、連結棒９４によって互いに連結されることで互いの相対的な位置ずれを抑制される。また、アーム部材３３は、操作ノブ３１に対する操作に応じて回動し、一対の脚部９３や連結棒９４を中央垂直フィン４１Ａに接触させることで、中央垂直フィン４１Ａを左右方向へ回動させる。即ち、アーム部材３３は、連結棒９４を切り欠き部６５に挿入した状態を維持し垂直フィン４１との位置ずれを抑制される。操作ノブ３１に付与された力は、アーム部材３３の脚部９３を介して中央垂直フィン４１Ａに良好に伝達される。
【００５４】
（２）また、切り欠き部６５は、連結棒９４の太さに合わせた幅Ｗで、開口部６３から後方に向かって前後方向に切り欠かれたスリットである。
【００５５】
これによれば、切り欠き部６５は、連結棒９４を挿入可能で、且つ連結棒９４の太さに合わせた一定の幅Ｗで前後方向に形成されたスリットである。これにより、切り欠き部６５は、連結棒９４の上下方向への移動をより確実に規制する。換言すれば、連結棒９４は、当該連結棒９４の太さに合わせた切り欠き部６５に挿入されることで、上下方向への移動範囲を極めて狭くすることができる。その結果、風向の調整動作において、連結棒９４は、上下方向へ大きく移動し速度を上げた状態で中央垂直フィン４１Ａ（切り欠き部６５の内壁）と衝突するような事態がなくなり、中央垂直フィン４１Ａとの衝突による打音の発生を抑制される。
【００５６】
ここで、中央垂直フィン４１Ａに形成する切り欠き部６５の幅Ｗを大きくするのに従って、切り欠き部６５内を通過する風の量が増大する。この切り欠き部６５内を通過する風は、中央垂直フィン４１Ａの平面に沿って風向を変更されない風、即ち、使用者の意図とは異なる方向へ流れる風となり、空調性能の低下に繋がる。これに対し、当該レジスタ１０では、中央垂直フィン４１Ａに形成する切り欠き部６５の幅Ｗを可能な限り小さくし、即ち、中央垂直フィン４１Ａに形成する穴をできるだけ小さくし、切り欠き部６５を抜ける風の量を抑制することで空調性能を向上できる。また、切り欠き部６５の拡大は、空気吹出口１７から見える中央垂直フィン４１Ａの見栄えの悪化に繋がる虞がある。このため、切り欠き部６５の拡大を抑制することで見栄えを向上できる。
【００５７】
さらに、切り欠き部６５の切り欠きの幅Ｗを小さくし、一方向に沿った形状とすることで、中央垂直フィン４１Ａに切り欠き部６５を形成する製造工程の作業内容を簡易化できる。また、切り欠き部６５を小さくしたことで中央垂直フィン４１Ａの強度を確保でき、切り欠き部６５を形成した後の中央垂直フィン４１Ａの取り扱いが容易となる。その結果、例えば、中央垂直フィン４１Ａと他の部材（複数の垂直フィン４１を連結するリンク部材５１）とを同一の金型によって形成した後に、この同一の金型内で組み立てまで行う、いわゆる、型内組み付けが可能となり製造コストの低減を図れる。
【００５８】
（３）また、第一連結部７９及び第二連結部９１のうち一方は、球状をなすボール部８１を有する。第一連結部７９及び第二連結部９１のうち他方は、ボール部８１の径方向で互いに対向して配置され、且つ径方向の両側からボール部８１を支持する一対のボール支持部（第一ボール支持部９５、第二ボール支持部９７）を有する。第一及び第二ボール支持部９５，９７の各々は、ボール部８１の径方向に貫通しボール部８１の一部を嵌め込まれるボール穴９９を形成される。
【００５９】
これによれば、アーム部材３３と操作ノブ３１とは、第一及び第二ボール支持部９５，９７のボール穴９９にボール部８１を嵌め込むことで互いに連結される。アーム部材３３は、操作ノブ３１に対して回動可能に連結され、上下、左右、前後の三軸方向への回動が可能となる。第一及び第二ボール支持部９５，９７には、ボール穴９９が貫通して形成されており、このボール穴９９にボール部８１が嵌め込まれる。ボール穴９９は、第一及び第二ボール支持部９５，９７を、ボール部８１の径方向に沿って貫通している。第一及び第二ボール支持部９５，９７は、ボール穴９９の開口部分でボール部８１を支持する。これにより、第一及び第二ボール支持部９５，９７は、球状のボール部８１の表面全体と接触せず、ボール部８１との接触面積を減らし、一対の脚部９３を操作ノブ３１に対してより円滑に回動させ易くすることが可能となる。
【００６０】
さらに、ボール穴９９は、第一及び第二ボール支持部９５，９７に対して貫通して形成されている。ここで、仮に、第一及び第二ボール支持部９５，９７をボール部８１の表面形状に合わせて凹設された中空の球状や筒状に形成した場合、第一及び第二ボール支持部９５，９７の凹部は、アンダーカットとなる。その結果、例えば、射出成形で第一及び第二ボール支持部９５，９７を成形しようとすると、型開きの際に金型と凹部（アンダーカット）とが干渉する無理抜き状態が発生する可能性がある。これに対し、当該ボール穴９９は、第一及び第二ボール支持部９５，９７に対して貫通して形成されるため、無理抜き状態の発生を抑制される。また、いわゆる、型内組み付けが可能となり製造コストの低減を図れる。
【００６１】
（４）また、一対の脚部９３の各々は、第二連結部９１との接続部分に湾曲部９３Ａを有する。一対の湾曲部９３Ａの各々は、一対の脚部９３の延設される方向に対して所定の角度をもって湾曲し、一対の脚部９３の先端部と第二連結部９１とを接続する。
【００６２】
これによれば、脚部９３の先端部と第二連結部９１（本実施形態では第一及び第二ボール支持部９５，９７）とは、湾曲部９３Ａによって接続される。このため、脚部９３は、第二連結部９１との接続部分の剛性を高め、第一及び第二ボール支持部９５，９７の各々を安定的に支持できる。
【００６３】
（５）また、一対の脚部９３は、中央垂直フィン４１Ａの両面を挟んで対向する距離Ｗ２を、前方から後方に向かうに従って徐々に広げて形成される。
【００６４】
これによれば、一対の脚部９３は、後方側をより広げた形で形成される。これにより、後方側から一対の脚部９３の間に中央垂直フィン４１Ａを挿入する際に、脚部９３と中央垂直フィン４１Ａとの干渉を抑制し、連結棒９４を切り欠き部６５に挿入する組み付け作業が容易となる。
【００６５】
（６）また、開口部６３は、切り欠き部６５の他の部分に比べて切り欠きの幅Ｗを広く形成される。
【００６６】
これによれば、開口部６３を広く開口させ連結棒９４を切り欠き部６５に挿入し易くするとともに、切り欠き部６５の他の部分を開口に比べて狭くすることで、連結棒９４の上下方向への移動をより確実に規制できる。
【００６７】
（第二実施形態）
次に、本願の第二実施形態について、図１３及び図１４を参照して説明する。なお、以下の説明では、上記した第一実施形態と同様の構成については同一符号を付し、その説明を適宜省略する。上記第一実施形態では、第一連結部７９にボール部８１及びボール固定部８３を設け、第二連結部９１に第一ボール支持部９５及び第二ボール支持部９７を設けた。これに対し、第二実施形態では、第一連結部７９に第一ボール支持部１９５及び第二ボール支持部１９７を設け、第二連結部９１にボール部１８１及びボール固定部１８３を設けている。
【００６８】
第二実施形態のボール部１８１には、左右方向の両側にボール固定部１８３がそれぞれ設けられている。また、左右方向で対向する一対の脚部９３のそれぞれには、湾曲部９３Ａが設けられている。一対の湾曲部９３Ａは、左右方向で対向して配置されている。左側の湾曲部９３Ａは、左側の脚部９３の先端部から左方向へ湾曲し、湾曲したその先端に左側のボール固定部１８３が接続されている。同様に、右側の湾曲部９３Ａは、右側の脚部９３の先端部から右方向へ湾曲し、湾曲したその先端に右側のボール固定部１８３が接続されている。湾曲部９３Ａは、脚部９３の延設される方向に対して所定の角度をもって湾曲し、脚部９３の先端部とボール固定部１８３とを接続している。
【００６９】
第二連結部９１は、ボール部１８１と、一対のボール固定部１８３とを有する。ボール部１８１は、球状をなしている。一対のボール固定部１８３の各々は、円柱形状をなし、湾曲部９３Ａの先端部の各々から左右方向の内側に向かって延設され、ボール部１８１に接続されている。２つのボール固定部１８３の軸方向は、ボール部１８１の径方向に沿っている。一対の湾曲部９３Ａ及び一対のボール固定部１８３は、上方から見た場合に、後方側へ突出した略Ｄ字状をなし、そのＤ字状の直線部分にボール部１８１を固定している。ボール部１８１は、一対のボール固定部１８３の各々を左右方向の両側に接続されることで、一対の脚部９３の前方において、左右方向の中央部に固定されている。
【００７０】
また、第二実施形態の第一連結部７９は、第一ボール支持部１９５と、第一ボール支持部１９５と上下方向で対向して配置される第二ボール支持部１９７とを有する。第一ボール支持部１９５は、第二分割部７３の後端面７３Ａから後方に突出した略板状をなし、突出した先端を円弧状に形成されている。第一ボール支持部１９５は、左右方向及び前後方向に平行な略板状をなしている。第一ボール支持部１９５には、上下方向に貫通するボール穴９９が形成されている。ボール穴９９は、上方から見た場合に、円形をなしている。また、第一ボール支持部１９５の下面には、左右方向及び前後方向に平行な平面が形成されている。
【００７１】
第二ボール支持部１９７は、第一ボール支持部１９５と同一形状をなし、上下方向で反転した構造をなしている。操作ノブ３１とアーム部材３３とを組み付けた状態では、アーム部材３３のボール部１８１は、第一ボール支持部１９５の下面のボール穴９９の開口と第二ボール支持部１９７の上面のボール穴９９の開口との上下方向の間に嵌め込まれる。ボール部１８１の一部は、上下方向で対向するボール穴９９のそれぞれに嵌め込まれている。換言すれば、本実施形態の第一及び第二ボール支持部１９５，１９７は、ボール部１８１の径方向で互いに対向して配置され、且つ径方向の両側からボール部１８１を支持する。ボール穴９９は、第一及び第二ボール支持部１９５，１９７をボール部１８１の径方向に沿って貫通し、ボール部１８１の一部を嵌め込まれる。アーム部材３３は、ボール部１８１を中心として回動自在に操作ノブ３１に取り付けられる。このような構成の第二実施形態のレジスタ１０においても、上記した第一実施形態と同様の効果を奏する。
【００７２】
（第三実施形態）
次に、本願の第三実施形態について、図１５を参照して説明する。なお、以下の説明では、上記した第二実施形態と同様の構成については同一符号を付し、その説明を適宜省略する。上記第二実施形態では、操作ノブ３１を上下に分割した第一分割部７１及び第二分割部７３のうち、一方の第二分割部７３のみに第一ボール支持部１９５及び第二ボール支持部１９７を設けた。これに対し、第三実施形態は、第一ボール支持部２９５を上側の第一分割部７１に設け、第二ボール支持部２９７を下側の第二分割部７３に設けている点で第二実施形態とは異なる。また、第三実施形態の第一ボール支持部２９５及び第二ボール支持部２９７には、ボール部１８１を嵌め込む部分としてボール受け部２０１を形成されている。
【００７３】
詳述すると、第二連結部９１は、一対の脚部９３の前方側に支持される球状のボール部１８１を有する。操作ノブ３１は、第一分割部７１と、第一分割部７１と上下方向（垂直方向）で対向し第一分割部７１に対して組み付けられる第二分割部７３とを有する。第一連結部７９は、第一分割部７１に設けられた第一ボール支持部２９５と、第二分割部７３に設けられた第二ボール支持部２９７とを有する。
【００７４】
第一ボール支持部２９５は、第一分割部７１の後端面７１Ａから後方に突出した略板状をなし、突出した先端を円弧状に形成されている。第一ボール支持部２９５は、左右方向及び前後方向に平行な略板状をなしている。また、第一ボール支持部２９５の下面には、左右方向及び前後方向に平行な平面が形成されている。第一ボール支持部２９５の下面には、下方から上方に凹設されたボール受け部２０１が形成されている（図１５では第二ボール支持部２９７側のみ図示）。ボール受け部２０１は、第一ボール支持部２９５の下面を半球形状に凹設して形成されている。
【００７５】
第二ボール支持部２９７は、第一ボール支持部２９５と同一形状をなし、上下方向で反転した構造をなしている。第二ボール支持部２９７は、第二分割部７３の後端面７３Ａから後方に突出している。操作ノブ３１とアーム部材３３とを組み付けた状態では、アーム部材３３のボール部１８１は、第一ボール支持部２９５の下面のボール受け部２０１と第二ボール支持部２９７の上面のボール受け部２０１との上下方向の間に嵌め込まれる。ボール部１８１の一部は、上下方向で対向するボール受け部２０１のそれぞれに嵌め込まれている。換言すれば、第一ボール支持部２９５及び第二ボール支持部２９７は、ボール部１８１の径方向で対向して配置され、径方向の両側からボール部１８１を支持する。アーム部材３３は、ボール部１８１を中心として回動自在に操作ノブ３１に取り付けられる。このような構成の第三実施形態のレジスタ１０においても、上記した第一実施形態と同様の効果を奏する。
【００７６】
また、上記した第三実施形態によれば、以下の効果を奏する。
第三実施形態の第二連結部９１は、一対の脚部９３の各々における前方側の端部に支持される球状のボール部１８１を有する。操作ノブ３１は、第一分割部７１と、第一分割部７１と上下方向で対向し第一分割部７１に対して組み付けられる第二分割部７３とを有する。第一連結部７９は、第一分割部７１に設けられた第一ボール支持部２９５と、第二分割部７３に設けられた第二ボール支持部２９７と、を有する。第一ボール支持部２９５及び第二ボール支持部２９７は、ボール部１８１の径方向（上下方向）で対向して配置され、径方向の両側からボール部１８１を支持する。
【００７７】
これによれば、アーム部材３３と操作ノブ３１とは、第一及び第二ボール支持部２９５，２９７にボール部１８１を嵌め込むことで互いに連結される。アーム部材３３は、操作ノブ３１に対して回動可能に連結され、上下、左右、前後の三軸方向への回動が可能となる。操作ノブ３１は、第一分割部７１と、第二分割部７３の２部材を備える。第一及び第二分割部７１，７３は、上下方向で対向し、互いに組み付けられる。この構成では、例えば、第一及び第二ボール支持部２９５，２９７の各々に、ボール部１８１の表面形状に合わせて凹設されたボール受け部２０１を設けた場合であっても、第一及び第二ボール支持部２９５，２９７を別々の部材とすることで、ボール受け部２０１がアンダーカットとなるのを抑制できる。例えば、ボール部１８１を支持するボール受け部２０１の底面から離間する方向（上下方向）を金型の抜き方向に設定することで、アンダーカットの発生を抑制し、無理抜き状態の発生を抑制できる。
【００７８】
（第四実施形態）
次に、本願の第四実施形態について、図１６〜図１８を参照して説明する。なお、以下の説明では、上記した第二実施形態と同様の構成については同一符号を付し、その説明を適宜省略する。第四実施形態のアーム部材１３３では、脚部１９３の形状が第二実施形態の脚部９３と異なる。
【００７９】
図１６は、中央水平フィン２１Ａ、中央垂直フィン４１Ａ及び操作部材３０を左側から見た側面図である。図１７は、アーム部材１３３を左前方から見た斜視図である。図１８は、アーム部材１３３を上方から見た平面図である。図１６〜図１８に示すように、第四実施形態のアーム部材１３３の脚部１９３は、垂直フィン４１が延設される垂直方向（上下方向）における幅Ｗ３を、切り欠き部６５の幅Ｗ（図８参照）に比べて大きく形成される拡張部２１０を有する。
【００８０】
拡張部２１０は、前方から後方に向かうに従って上下方向の幅Ｗ３を徐々に大きくして形成されている。拡張部２１０は、図１６に示す通常状態では、後方側の側縁部を中央垂直フィン４１Ａの側縁部６７と平行になるように形成されている。拡張部２１０は、左右方向から見た場合に、略Ｄ字形状をなしている。中央垂直フィン４１Ａの切り欠き部６５は、一対の拡張部２１０を含む脚部１９３によって、左右方向の両側を覆われている。なお、拡張部２１０を、一対の脚部１９３の一方のみに設けてもよい。
【００８１】
また、脚部１９３には、左右方向の幅を厚くしたリブ部２１１が形成されている。リブ部２１１は、脚部１９３の上下方向の中央部において、前後方向に形成されている。アーム部材１３３は、リブ部２１１を形成されることで剛性を高め、強度を補強される。これにより、操作ノブ３１から伝達された力を、脚部１９３の本体及び拡張部２１０によって中央垂直フィン４１Ａに効率よく伝達し、中央垂直フィン４１Ａを円滑に左右方向に回動させることができる。このような構成の第四実施形態のレジスタ１０においても、上記した第二実施形態と同様の効果を奏する。
【００８２】
また、上記した第四実施形態によれば、以下の効果を奏する。
第四実施形態において、一対の脚部１９３の少なくとも一方は、上下方向（垂直方向）の幅Ｗ３を切り欠き部６５の幅Ｗに比べて大きく形成される拡張部２１０を有する。
【００８３】
これによれば、拡張部２１０は、切り欠き部６５（中央垂直フィン４１Ａの穴）を外部から見えにくくし見栄えを向上させるとともに、切り欠き部６５から抜け出る空気を抑制し空調性能を向上させることができる。
【００８４】
（第五実施形態）
次に、本願の第五実施形態について、図１９〜図２８を参照して説明する。なお、以下の説明では、上記した各実施形態と同様の構成については同一符号を付し、その説明を適宜省略する。上記各実施形態では、中央垂直フィン４１Ａに切り欠き部６５を設け、アーム部材３３の連結棒９４をその切り欠き部６５に挿入する構成であった。これに対し、第五実施形態では、中央垂直フィン４１Ａに溝部３０１，３０２を設ける。また、一対の脚部９３の各々に形成した突起部３１３を、中央垂直フィン４１Ａの溝部３０１，３０２に挿入する。
【００８５】
図１９は、第五実施形態の中央水平フィン２１Ａ、中央垂直フィン４１Ａ及び操作部材３０を前方上方から見た斜視図である。図２０は、中央垂直フィン４１Ａの斜視図である。図１９及び図２０に示すように、凹部６１の上下方向の中央部には、一対の溝部３０１，３０２（図１９及び図２０には溝部３０１のみを図示）が形成されている。一対の溝部３０１，３０２は、中央垂直フィン４１Ａにおいて、前方側の凹部６１（側縁部）から後方に向かって形成されている。溝部３０１，３０２は、例えば、上記実施形態の切り欠き部６５を塞ぐ位置に形成されている。
【００８６】
図２１は、中央水平フィン２１Ａ、中央垂直フィン４１Ａ及び操作部材３０を左側から見た側面図である。図２２は、図２１に示すＣ−Ｃ線で切断した断面を示す断面図である。図２１及び図２２に示すように、中央垂直フィン４１Ａは、略板状をなし、左右方向において互いに対向する左側面３０３と右側面３０４とを有する。溝部３０１は、左側面３０３を凹設して形成され、即ち、右方向に向かって凹設されている。もう一方の溝部３０２は、右側面３０４を凹設して形成され、即ち、左方向に向かって凹設されている。従って、一対の溝部３０１，３０２の各々は、左右方向において、互いに近接する方向に向かって凹設されている。溝部３０１，３０２の前端部３０７（図２０参照）は、凹部６１の上下方向の中央部において、後方側へ向かって凹んでいる。なお、中央垂直フィン４１Ａ以外の垂直フィン４１は、例えば、凹部６１、溝部３０１，３０２、及び後述するフランジ部３１１を形成されていない点を除き、中央垂直フィン４１Ａと同様の構成となっている。また、第１実施形態と同様に、前端部３０７にテーパ部６３Ａ（図８参照）を設けてもよい。
【００８７】
一対の溝部３０１，３０２は、同様の構成となっている。このため、以下の説明では、一方の溝部３０１について主に説明し、他方の溝部３０２についての説明を適宜省略する。溝部３０１は、上下方向の幅Ｗを略同一とし、前後方向に形成されている。溝部３０１は、例えば、中央垂直フィン４１Ａの前端部と後端部を前後方向に沿わせ、且つ上側回動支持軸４３の軸方向を上下方向に沿わせた場合、前後方向に沿って形成されている。溝部３０１は、中央垂直フィン４１Ａの上下方向における略中央部に形成されている。溝部３０１は、後述する突起部３１３の太さに合わせた幅Ｗで、前端部３０７から後方に向かって形成されている。
【００８８】
また、図２０に示すように、溝部３０１の周囲には、フランジ部３１１が設けられている。フランジ部３１１は、溝部３０１の外周に沿って形成されている。フランジ部３１１は、前方側の凹部６１（側縁部）から後方に向かって延び、後端部で下方へ折れ曲がって前方へ折り返した後、前方側の凹部６１まで延設されている。フランジ部３１１は、中央垂直フィン４１Ａの左側面３０３から突出して形成されている、即ち、左方向に向かって突出している。フランジ部３１１は、溝部３０１を取り囲む壁として構成されている。フランジ部３１１の内周面は、溝部３０１の内周面と連続して形成されている。従って、フランジ部３１１と溝部３０１とは、右方向へ凹設された凹部を構成している。後述する突起部３１３は、この凹部に挿入される。
【００８９】
次に、第五実施形態の操作ノブ３１について説明する。図２３は、第５実施形態の操作ノブ３１を示している。尚、図２３は、枠部７５及びサポート部材７７（図７，図１４参照）の図示を省略している。図２３に示すように、操作ノブ３１は、第一分割部７１と、第二分割部７３とを組み付けて構成されている。第五実施形態の操作ノブ３１では、第一分割部７１に被係合部７１Ｃが設けられ、第二分割部７３に係合部７３Ｃが設けられている。第５実施形態の操作ノブ３１は、第二実施形態（図１４参照）と同様に、第一連結部７９に第一ボール支持部１９５及び第二ボール支持部１９７が設けられている。
【００９０】
第一ボール支持部１９５は、第二ボール支持部１９７と上下方向で対向して配置されている。第一ボール支持部１９５及び第二ボール支持部１９７には、上下方向に貫通するボール穴９９が形成されている。第二ボール支持部１９７のボール穴９９は、第一ボール支持部１９５のボール穴９９と同様に形成されている。このため、以下の説明では、第一ボール支持部１９５のボール穴９９について主に説明し、第二ボール支持部１９７のボール穴９９の説明を省略する。
【００９１】
ボール穴９９は、上方から見た場合に、円形をなしている。ボール穴９９には、肉厚部３０９が形成されている。肉厚部３０９は、ボール穴９９の後方側を囲む部分に形成されている。肉厚部３０９は、左右方向において、第一ボール支持部１９５の中央部に形成されている。上下方向（貫通方向の一例）における肉厚部３０９の厚みは、第一ボール支持部１９５における他の部分に比べて厚くなっている。従って、第一ボール支持部１９５は、後方側の先端部において肉厚となっている。また、肉厚部３０９の下面は、前方から後方に向かうに従って上方に向かって、即ち、第二ボール支持部１９７から離間する方向に向かって湾曲している。これにより、ボール穴９９に、アーム部材２３３のボール部１８１（図２４参照）を嵌め込み易くしている。
【００９２】
次に、第五実施形態のアーム部材２３３について説明する。図２４は、第五実施形態のアーム部材２３３の上面図である。図２５は、アーム部材２３３を後方の上方から見た斜視図である。図２６は、アーム部材２３３を左側から見た側面図である。図２４〜図２６に示すように、第五実施形態のアーム部材２３３は、第二連結部９１と、一対の脚部９３と、一対の突起部３１３とを有する。第二連結部９１は、ボール部１８１と、一対のボール固定部１８３とを有する。ボール部１８１には、図１４に示す第二実施形態のアーム部材３３と同様に、左右方向の両側にボール固定部１８３がそれぞれ設けられている。また、左右方向で対向する一対の脚部９３のそれぞれには、湾曲部９３Ａが設けられている。一対の湾曲部９３Ａは、左右方向で対向して配置されている。左側の湾曲部９３Ａは、左側の脚部９３の先端部から左方向へ湾曲した後に前方へ延び、その先端に左側のボール固定部１８３が接続されている。同様に、右側の湾曲部９３Ａは、右側の脚部９３の先端部から右方向へ湾曲した後に前方へ延び、その先端に右側のボール固定部１８３が接続されている。
【００９３】
一対のボール固定部１８３の各々は、円柱形状をなし、湾曲部９３Ａの先端部の各々から左右方向の内側に向かって延設され、ボール部１８１に接続されている。ボール部１８１は、一対のボール固定部１８３の各々を左右方向の両側に接続されることで、一対の脚部９３の前方において、左右方向の中央部に固定されている。
【００９４】
また、脚部９３は、湾曲部９３Ａの後方側において、上下方向の幅を略一定とし、後方へと一方向に延設されている。脚部９３は、左右方向に薄い略板状をなしている。脚部９３の上下方向の幅は、溝部３０１の幅Ｗ（図２０参照）に比べて大きくなっている。また、脚部９３の前後方向の長さは、溝部３０１の前後方向の長さに比べて長くなっている。図２１に示すように、操作ノブ３１を水平に配置し、脚部９３を溝部３０１，３０２に沿うように配置した状態では、脚部９３は、溝部３０１の上側、下側、及び後側のそれぞれにおいて、中央垂直フィン４１Ａの左側面３０３と重なった状態となっている。脚部９３の先端は、中央垂直フィン４１Ａの側縁部６７から後方に突出している。
【００９５】
また、図２４に示すように、一対の脚部９３は、左右方向における距離Ｗ２を、前方から後方に向かうに従って徐々に広げて形成されている。なお、一対の脚部９３は、後方に向かうに従って広がらずに、上方から見た場合に互いに平行に配置されてもよい。
【００９６】
一対の突起部３１３の各々は、一対の脚部９３の各々に形成されている。一対の突起部３１３は、同様の構成をなし、左右方向で反転した構造となっている。突起部３１３は、左右方向における脚部９３の内壁に形成されている。一方の脚部９３の突起部３１３は、他方の脚部９３に向かって突出している。従って、一対の突起部３１３は、互いに近接する方向に向かって突出している。上記した各実施形態の連結棒９４は、一対の脚部９３を互いに連結していた。これに対し、第五実施形態の一対の突起部３１３は、互いに連結されていない。
【００９７】
突起部３１３は、例えば、脚部９３の内面から垂直方向に突出する円柱形状をなしている。図２２に示すように、一対の脚部９３は、中央垂直フィン４１Ａを左右方向から挟む様に配置される。一対の突起部３１３の各々は、フランジ部３１１と溝部３０１とで構成された凹部のそれぞれに挿入されている。突起部３１３は、溝部３０１内をスライド可能に設けられる。例えば、溝部３０１の幅Ｗ（図２０参照）は、突起部３１３の太さに合わせた大きさであり、突起部３１３の太さに比べて若干大きくなっている。このため、突起部３１３は、溝部３０１内において上下方向の移動を規制され前後方向にスライド可能となっている。アーム部材２３３は、突起部３１３を溝部３０１内でスライドさせながら、操作ノブ３１に対して回動する。
【００９８】
図２７は、図２１に示すＤ−Ｄ線で切断した断面を示す断面図である。図２８は、図２７に示す領域３１５の拡大図である。図２７及び図２８に示すように、突起部３１３の先端面には、球面３１３Ａが形成されている。突起部３１３は、球面３１３Ａの一部を溝部３０１の底部に当てた状態となっている。換言すれば、突起部３１３は、溝部３０１の底部と点接触している。従って、一対の脚部９３は、一対の突起部３１３の各々を溝部３０１，３０２の底部に当て、中央垂直フィン４１Ａを左右方向の両側から突起部３１３で挟んだ状態となっている。また、突起部３１３の長さは、フランジ部３１１と溝部３０１とで構成された凹部の深さに比べて若干だけ長くなっている。このため、一対の脚部９３は、左右方向においてフランジ部３１１との間に隙間を設けて、フランジ部３１１と離間している。なお、突起部３１３は、円柱形状に限らず、直方体形状でもよい。また、突起部３１３の先端面を、球面３１３Ａではなく、平面で形成してもよい。
【００９９】
また、図２４〜図２６に示すように、アーム部材２３３の脚部９３の上面９３Ｂには、円形のピン受け面３１９と、半円形のピン受け面３２１とが形成されている。ピン受け面３１９及びピン受け面３２１は、図２４に示すように、アーム部材２３３を平面視した場合に、上下方向（紙面の直交方向）に垂直となる平面で構成されている。ピン受け面３１９は、湾曲部９３Ａの先端部に形成されている。換言すれば、ピン受け面３１９は、湾曲部９３Ａとボール固定部１８３との接続部分に形成されている。ピン受け面３２１は、前後方向において、突起部３１３と同位置に形成されている。ピン受け面３２１は、左右方向の外側に向かって突出した半円形状をなしている。
【０１００】
また、脚部９３の左右方向における外周面９３Ｃには、略正方形のゲート面３２３が形成されている。ゲート面３２３は、脚部９３の左右方向における外側の外周面９３Ｃに形成されている。図２６に示すように、ゲート面３２３は、湾曲部９３Ａの基端部側に形成されている。ゲート面３２３は、図２６に示すアーム部材２３３を左側から見た状態では、左右方向（紙面の直交方向）に垂直となる平面で構成されている。
【０１０１】
このような構成の第五実施形態のレジスタ１０においても、上記した各実施形態と同様の効果を奏する。また、上記した第五実施形態によれば、以下の効果を奏する。
（１）中央垂直フィン４１Ａ（一の垂直フィンの一例）は、一対の溝部３０１，３０２を有する。アーム部材２３３の一対の脚部９３の各々は、突起部３１３をそれぞれ有する。一対の突起部３１３は、一対の脚部９３の各々から突出し、左右方向（水平方向の一例）において互いに近接する方向に向かって突出している。一対の突起部３１３は、溝部３０１，３０２の各々に挿入され、溝部３０１，３０２内をスライド可能に設けられる。
【０１０２】
これによれば、上記各実施形態と同様に、アーム部材２３３に対する中央垂直フィン４１Ａの位置ずれを抑制できる。詳述すると、一対の脚部９３は、アーム部材２３３を上下方向や左右方向に回動させると、溝部３０１，３０２内をスライド移動する突起部３１３の位置に合わせて移動や回動する。一対の脚部９３は、移動や回動する一方で、左右対称の溝部３０１，３０２に突起部３１３を挿入することで互いの相対的な位置ずれを抑制される。また、アーム部材２３３は、操作ノブ３１に対する操作に応じて回動し、突起部３１３を中央垂直フィン４１Ａに接触させることで、中央垂直フィン４１Ａを左右方向へ回動させる。即ち、アーム部材２３３は、突起部３１３を溝部３０１，３０２に挿入した状態を維持し中央垂直フィン４１Ａとの位置ずれを抑制される。操作ノブ３１に付与された力は、アーム部材２３３の脚部９３を介して中央垂直フィン４１Ａに良好に伝達される。
【０１０３】
ここで、上記各実施形態では、切り欠き部６５を設けるため、中央垂直フィン４１Ａの一部を切り欠く必要があった。切り欠き部６５の幅Ｗや長さを大きくすればするほど、中央垂直フィン４１Ａの剛性が低下する虞がある。これに対し、第五実施形態の中央垂直フィン４１Ａでは、溝部３０１，３０２を設けることでアーム部材２３３に対する中央垂直フィン４１Ａの位置ずれを抑制しつつ、切り欠き部６５を設ける構成に比べて中央垂直フィン４１Ａの剛性を向上させることができる。その結果、例えば、中央垂直フィン４１Ａと他の部材とを、樹脂成形の型内で成形して組み立てる、いわゆる、型内組み付けをする場合に、中央垂直フィン４１Ａに外力が付与されたとしても中央垂直フィン４１Ａの破損等が発生するのを抑制できる。尚、ここでいう他の部材とは、中央垂直フィン４１Ａに組み付けられる部材であり、例えば、図１に示すリンク部材５１、図３に示す側壁１１Ｃ、側壁１１Ｅなどである。
【０１０４】
（２）また、一対の溝部３０１，３０２の各々は、突起部３１３の太さに合わせた幅Ｗで、中央垂直フィン４１Ａの前方側の側縁部から後方に向かって形成される。これによれば、溝部３０１，３０２は、突起部３１３の大きさに合わせた幅Ｗで形成されることで、上下方向への突起部３１３の移動、即ち、上下方向への一対の脚部９３の移動をより確実に規制することができる。
【０１０５】
（３）また、中央垂直フィン４１Ａは、一対の溝部３０１，３０２の各々における外周に沿って形成されたフランジ部３１１を有する。フランジ部３１１は、中央垂直フィン４１Ａの両面（左側面３０３及び右側面３０４）から突出して形成される。これによれば、突起部３１３は、溝部３０１，３０２とフランジ部３１１とで形成された凹部に挿入される。換言すれば、突起部３１３は、フランジ部３１１の突出量を大きくすればするほど、凹部に挿入する量が増大する。従って、フランジ部３１１を設けることで、フランジ部３１１及び溝部３０１，３０２から突起部３１３が抜け出すのを抑制できる。その結果、アーム部材２３３と中央垂直フィン４１Ａとをより確実に連結できる。
【０１０６】
（４）また、突起部３１３は、左右方向において互いに近接する方向に向かって突出した先端面を球面３１３Ａで形成される。これによれば、突起部３１３と溝部３０１，３０２との接触面積を減らすことができる。突起部３１３と溝部３０１，３０２との摩擦抵抗を低減し、溝部３０１，３０２内で突起部３１３をよりスムーズに移動させることができる。その結果、操作部材３０の操作性を向上させることができる。ここで、突起部３１３の先端面を平面で形成した場合、脚部９３の回動に応じて、先端面の角や平面が溝部３０１，３０２に衝突するなどして異音が発生する虞がある。これに対し、突起部３１３の先端面を球面３１３Ａにすることで、突起部３１３と溝部３０１，３０２との接触を滑らかに行うことができる。その結果、突起部３１３の先端面を平面にする場合に比べて、突起部３１３と溝部３０１，３０２との衝突により発生する異音を低減することが可能となる。
【０１０７】
（５）また、第一ボール支持部１９５及び第二ボール支持部１９７の各々のボール穴９９は、肉厚部３０９を有する。例えば、第一ボール支持部１９５を左右方向で対称な構造とし合成樹脂の射出成形により成形する場合、ボール穴９９の型内に合成樹脂を左右方向の両側から流し込んで合流させると、すじ状のウエルドがボール穴９９に発生する可能性がある。そこで、ボール穴９９に肉厚部３０９を設けることで、ウエルドが発生して合成樹脂の融着が弱くなるのを抑制し、第一ボール支持部１９５及び第二ボール支持部１９７に割れが発生するのを抑制できる。
【０１０８】
（６）また、一対の脚部９３の各々は、上面９３Ｂ（外周面の一例）に、円形のピン受け面３１９及び半円形のピン受け面３２１を有する。例えば、アーム部材２３３を樹脂成形の金型から押し出して取り出す場合、押し出しピンによってアーム部材２３３を金型から押し出す必要が生じる。脚部９３の上面９３Ｂに、ピン受け面３１９等の平面を形成すれば、アーム部材２３３を押し出す押し出しピンとして、先端面を円形又は半円形で形成した丸ピンなど、標準的なピンを使用できる。これにより、アーム部材２３３の外周形状に合わせて押し出しピンの先端の形状を変更等する必要がなくなり、製造コストの低減を図ることが可能となる。
【０１０９】
（７）また、一対の脚部９３の各々は、外周面９３Ｃに、ゲート面３２３を有する。例えば、アーム部材２３３を合成樹脂の射出成形により成形する際、金型のゲートから合成樹脂を注入する。この際、ゲートからアーム部材２３３に至るまでの余剰部分と、アーム部材２３３とを切り離す作業が必要となる。そこで、脚部９３の外周面９３Ｃに、余剰部分とアーム部材２３３とを切り離す切断面として矩形のゲート面３２３を形成する。アーム部材２３３の脚部９３に切断用のゲート面３２３を設けることで、金型を開く際に余剰部分とアーム部材２３３とを切断して矩形のゲート面３２３を形成することができる。換言すれば、アーム部材２３３の構造として切断用のゲート面３２３を予め盛り込むことで、余剰部分とアーム部材２３３とを金型の開く動作に合わせて自動で切断できるとともに、切断面を凹凸のない平面で形成できる。
【０１１０】
尚、本願は、上述した実施形態に限定されるものではなく、本発明の要旨を逸脱しない範囲内で種々の改良、変形が可能であることは勿論である。
例えば、第一実施形態において、切り欠き部６５の幅Ｗを、連結棒９４の太さに合わせず、連結棒９４に比べて大きくしてもよい。
また、第一実施形態において、脚部９３は、湾曲部９３Ａを備えなくともよい。この場合、脚部９３の湾曲部９３Ａを除いた先端に、第二連結部９１を接続してもよい。
また、第一実施形態において、一対の脚部９３は、距離Ｗ２を徐々に広げず、左右方向において距離Ｗ２を一定としてもよい。
また、操作部材３０を取り付ける水平フィン２１は、中央水平フィン２１Ａでなくともよい。
また、操作部材３０を取り付ける垂直フィン４１は、中央垂直フィン４１Ａでなくともよい。
【０１１１】
また、第五実施形態において、アーム部材２３３は、ピン受け面３１９及びピン受け面３２１のどちらかを備える構成でもよい。また、アーム部材２３３は、ピン受け面３１９及びピン受け面３２１の両方を備えない構成でもよい。また、アーム部材２３３は、ゲート面３２３を備えない構成でもよい。また、他の実施形態のアーム部材３３は、ピン受け面３１９、ピン受け面３２１、及びゲート面３２３を備えてもよい。
また、ピン受け面３１９、ピン受け面３２１、及びゲート面３２３の形状や、配置した位置は一例であり、アーム部材２３３の形状等に応じて適宜変更してもよい。
【０１１２】
また、第五実施形態において、アーム部材２３３は、第四実施形態の拡張部２１０（図１６参照）を備えてもよい。
また、第五実施形態において、第一実施形態のように、ボール部８１を操作ノブ３１に設け、第一ボール支持部９５及び第二ボール支持部９７をアーム部材２３３に設けてもよい。また、第一実施形態の第一ボール支持部９５に、第五実施形態の第一ボール支持部１９５と同様の肉厚部３０９を設けてもよい。
また、溝部３０１，３０２の幅Ｗを、突起部３１３の太さに合わせず、突起部３１３に比べて大きくしてもよい。
また、一対の溝部３０１，３０２は、互いに異なる形状でも良い。
また、一対の突起部３１３は、互いに異なる形状でも良い。
【０１１３】
因みに、上記した各実施形態において、左右方向は、水平方向の一例である。上下方向は、垂直方向の一例である。中央水平フィン２１Ａは、一の水平フィンの一例である。中央垂直フィン４１Ａは、一の垂直フィンの一例である。上面９３Ｂは、脚部９３の外周面の一例である。ピン受け面３１９は、円形の平面の一例である。ピン受け面３２１は、半円形の平面の一例である。ゲート面３２３は、矩形の平面の一例である。
【符号の説明】
【０１１４】
１０  レジスタ
１１  リテーナ
１５  通風路
２１  水平フィン
２１Ａ  中央水平フィン（一の水平フィン）
３０  操作部材
３１  操作ノブ
３３  アーム部材
４１  垂直フィン
４１Ａ  中央垂直フィン（一の垂直フィン）
６１  凹部（側縁部）
６３  開口部
６５  切り欠き部
７１  第一分割部
７３  第二分割部
７９  第一連結部
８１  ボール部
９１  第二連結部
９３  脚部
９３Ａ  湾曲部
９４  連結棒
９５  第一ボール支持部（ボール支持部）
９７  第二ボール支持部（ボール支持部）
９９  ボール穴
２１０  拡張部
３０１，３０２  溝部
３０９  肉厚部
３１１  フランジ部
３１３  突起部
３１３Ａ  球面
３２１  ピン受け面
３２３  ゲート面
Ｗ２  距離
【図１】
2018154318.tif 000003
【図２】
2018154318.tif 000004
【図３】
2018154318.tif 000005
【図４】
2018154318.tif 000006
【図５】
2018154318.tif 000007
【図６】
2018154318.tif 000008
【図７】
2018154318.tif 000009
【図８】
2018154318.tif 000010
【図９】
2018154318.tif 000011
【図１０】
2018154318.tif 000012
【図１１】
2018154318.tif 000013
【図１２】
2018154318.tif 000014
【図１３】
2018154318.tif 000015
【図１４】
2018154318.tif 000016
【図１５】
2018154318.tif 000017
【図１６】
2018154318.tif 000018
【図１７】
2018154318.tif 000019
【図１８】
2018154318.tif 000020
【図１９】
2018154318.tif 000021
【図２０】
2018154318.tif 000022
【図２１】
2018154318.tif 000023
【図２２】
2018154318.tif 000024
【図２３】
2018154318.tif 000025
【図２４】
2018154318.tif 000026
【図２５】
2018154318.tif 000027
【図２６】
2018154318.tif 000028
【図２７】
2018154318.tif 000029
【図２８】
2018154318.tif 000030